(57)【特許請求の範囲】
【請求項１】
系統と並列に接続するパワーコンディショナであって、
前記系統の電圧を測定して第１電圧測定値を得る電圧センサと、
前記系統と並列に接続する他のパワーコンディショナと通信する通信インタフェースと、
前記他のパワーコンディショナが前記系統の電圧を測定して得た第２電圧測定値を前記通信インタフェースを介して取得し、前記系統の同一の電圧に対し前記第１電圧測定値と前記第２電圧測定値とが同一の値に近づくように調整する制御部と
を備えることを特徴とするパワーコンディショナ。
【請求項２】
請求項１に記載のパワーコンディショナであって、
前記制御部は、
前記電圧センサの精度の指標である第１グレードを有し、
前記他のパワーコンディショナが備える電圧センサの精度の指標である第２グレードを前記通信インタフェースを介して取得し、
前記第１グレードと前記第２グレードとを比較して、グレードが高い電圧センサを基準に調整する
ことを特徴とするパワーコンディショナ。
【請求項３】
請求項１または２に記載のパワーコンディショナであって、前記制御部は、当該パワーコンディショナの出力を停止して調整することを特徴とするパワーコンディショナ。
【請求項４】
請求項１乃至３のいずれか１項に記載のパワーコンディショナであって、前記制御部は、調整量が所定の閾値を超えた場合に当該電圧センサを不良と判定することを特徴とするパワーコンディショナ。
【請求項５】
系統と並列に接続するパワーコンディショナであって、
当該パワーコンディショナが出力する電流を測定して第１電流測定値を得る電流センサと、
前記系統と並列に接続する他のパワーコンディショナと通信する通信インタフェースと、
前記他のパワーコンディショナが当該他のパワーコンディショナへ流入する電流を測定して得た第２電流測定値を前記通信インタフェースを介して取得し、同一の電流に対し前記第１電流測定値と前記第２電流測定値とが同一の値に近づくように調整する制御部と
を備えることを特徴とするパワーコンディショナ。
【請求項６】
請求項５に記載のパワーコンディショナであって、
前記制御部は、
前記電流センサの精度の指標である第１グレードを有し、
前記他のパワーコンディショナが備える電流センサの精度の指標である第２グレードを前記通信インタフェースを介して取得し、
前記第１グレードと前記第２グレードとを比較して、グレードが高い電流センサを基準に調整する
ことを特徴とするパワーコンディショナ。
【請求項７】
請求項５または６に記載のパワーコンディショナであって、前記制御部は、当該パワーコンディショナおよび前記他のパワーコンディショナを前記系統から切り離して調整することを特徴とするパワーコンディショナ。
【請求項８】
請求項５乃至７のいずれか１項に記載のパワーコンディショナであって、前記制御部は、調整量が所定の閾値を超えた場合に当該電流センサを不良と判定することを特徴とするパワーコンディショナ。
【請求項９】
系統と並列に接続するパワーコンディショナの制御方法であって、
前記系統の電圧を測定して第１電圧測定値を得るステップと、
前記系統に接続する他のパワーコンディショナが前記系統の電圧を測定して得た第２電圧測定値を取得するステップと、
前記系統の同一の電圧に対し前記第１電圧測定値と前記第２電圧測定値が同一の値に近づくように調整するステップと
を備えることを特徴とするパワーコンディショナの制御方法。
【請求項１０】
系統と並列に接続するパワーコンディショナの制御方法であって、
当該パワーコンディショナが出力する電流を測定して第１電流測定値を得るステップと、
前記系統に接続する他のパワーコンディショナが当該他のパワーコンディショナへ流入する電流を測定して得た第２電流測定値を取得するステップと、
同一の電流に対し前記第１電流測定値と前記第２電流測定値が同一の値に近づくように調整するステップと
を備えることを特徴とするパワーコンディショナの制御方法。
【請求項１１】
請求項１乃至４に記載のパワーコンディショナの複数個を系統と並列に接続するパワーコンディショナシステム。
【請求項１２】
請求項５乃至８に記載のパワーコンディショナの複数個を系統と並列に接続するパワーコンディショナシステム。
【発明の詳細な説明】
【技術分野】
【０００１】
本発明は、パワーコンディショナ、パワーコンディショナの制御方法およびパワーコンディショナシステムに関するものである。
【背景技術】
【０００２】
パワーコンディショナは、太陽電池、燃料電池および蓄電池などから得られる電力を一般家庭で使用できる形式の交流電力に変換する。日本においては、当該交流電力の電圧は１００Ｖであり、周波数は５０Ｈｚまたは６０Ｈｚである。通常、交流電力は商用電源系統（以下、適宜「系統」と略記する）により一般家庭に供給される。
【０００３】
パワーコンディショナは系統と並列に接続して系統と連系運転をすることができる。こうすることで、系統に接続する系統負荷（一般家庭内の電気製品など）に対し、太陽光発電などによる電力と商用電源による電力とで電力を供給することができる。また、系統が停電した場合などは、パワーコンディショナを系統から切り離して自立運転をさせることもできる。
【０００４】
パワーコンディショナを系統に連系させる際は、１つのパワーコンディショナを系統と並列に接続するだけでなく、複数のパワーコンディショナを系統と並列に接続することもできる。例えば、太陽光パワーコンディショナおよび燃料電池パワーコンディショナを系統と並列に接続して、系統と連系させることができる。
【０００５】
パワーコンディショナを系統に連系させて使用する場合は、系統保護の観点から、系統への供給電力過多を防ぎ、系統電圧が適正な電圧範囲を外れるようなことがないようにすることが重要である。そのため、供給電力過多の場合は、パワーコンディショナのコンバータやインバータを停止することなどにより供給電力を抑制して、系統電圧の上昇を防ぐ必要がある。供給電力を抑制すると系統電圧が下がり、適正範囲を超える系統電圧の上昇を防ぐことができる。
【０００６】
系統への供給電力過多を防ぐため、系統電圧を測定する電圧センサを備え、電圧センサが測定する電圧値に基づいてパワーコンディショナの機能を制御するパワーコンディショナが知られている（例えば、特許文献１参照）。
【先行技術文献】
【特許文献】
【０００７】
【特許文献１】特開２０００−１５２５０６号公報
【発明の概要】
【発明が解決しようとする課題】
【０００８】
ところで、パワーコンディショナを設置する際には、導入コストの回収を容易にするため、パワーコンディショナは安価であることが好ましい。一般的に高精度の電圧センサは高価であるため、パワーコンディショナは安価な電圧センサを備える場合がある。
【０００９】
しかしながら、一般的に安価な電圧センサは測定精度が低い。よって、パワーコンディショナに安価なセンサを採用すると、複数のパワーコンディショナを系統と並列に接続している場合に、系統保護に関して以下のような不都合が生じることが想定される。
【００１０】
パワーコンディショナは、系統保護のため、電圧センサが系統電圧の上昇を検出した場合、コンバータやインバータの動作を停止させるなどして供給電力を抑制する。
【００１１】
複数のパワーコンディショナを系統と並列に接続して連系運転させている場合は、パワーコンディショナ毎に、抑制を開始する系統電圧に優先順位をつけることによって、所望の順番でパワーコンディショナの抑制を開始することができる。この場合、より低い電圧に対して抑制を開始するように設定されているパワーコンディショナが先に抑制を開始する。
【００１２】
パワーコンディショナの抑制の優先順位としては、例えば、電気エネルギーを蓄える機能を持たない太陽電池による電力を優先的に使用するという観点から、燃料電池パワーコンディショナから先に抑制を開始し、太陽パワーコンディショナは最後に抑制を開始するという順番が好ましい。
【００１３】
しかしながら、安価な電圧センサは測定精度が低いため、同一の電圧を測定しても測定値が大きくばらつく場合があり、ばらつきが大きい場合は、所望の優先順位とは逆の順番でパワーコンディショナの抑制を開始するおそれがある。
【００１４】
したがって、かかる点に鑑みてなされた本発明の目的は、系統と並列に接続された複数のパワーコンディショナにおいて、同一の電圧に対してはより同一の電圧測定値に近い値を得ることができるパワーコンディショナ、パワーコンディショナの制御方法およびパワーコンディショナシステムを提供することにある。
【課題を解決するための手段】
【００１５】
系統と並列に接続するパワーコンディショナであって、
前記系統の電圧を測定して第１電圧測定値を得る電圧センサと、
前記系統と並列に接続する他のパワーコンディショナと通信する通信インタフェースと、
前記他のパワーコンディショナが前記系統の電圧を測定して得た第２電圧測定値を前記通信インタフェースを介して取得し、前記系統の同一の電圧に対し前記第１電圧測定値と前記第２電圧測定値とが同一の値に近づくように調整する制御部と
を備えることを特徴とする。
【００１６】
第２の観点に係る発明は、第１の観点に係るパワーコンディショナであって、
前記制御部は、
前記電圧センサの精度の指標である第１グレードを有し、
前記他のパワーコンディショナが備える電圧センサの精度の指標である第２グレードを前記通信インタフェースを介して取得し、
前記第１グレードと前記第２グレードとを比較して、グレードが高い電圧センサを基準に調整する
ことを特徴とする。
【００１７】
第３の観点に係る発明は、第１または第２の観点に係るパワーコンディショナであって、前記制御部は、当該パワーコンディショナの出力を停止して調整することを特徴とする。
【００１８】
第４の観点に係る発明は、第１乃至第３の観点のいずれか１つの観点に係るパワーコンディショナであって、前記制御部は、調整量が所定の閾値を超えた場合に当該電圧センサを不良と判定することを特徴とする。
【００１９】
上記目的を達成する第５の観点に係るパワーコンディショナの発明は、
系統と並列に接続するパワーコンディショナであって、
当該パワーコンディショナが出力する電流を測定して第１電流測定値を得る電流センサと、
前記系統と並列に接続する他のパワーコンディショナと通信する通信インタフェースと、
前記他のパワーコンディショナが当該他のパワーコンディショナへ流入する電流を測定して得た第２電流測定値を前記通信インタフェースを介して取得し、同一の電流に対し前記第１電流測定値と前記第２電流測定値とが同一の値に近づくように調整する制御部と
を備えることを特徴とする。
【００２０】
第６の観点に係る発明は、第５の観点に係るパワーコンディショナであって、
前記制御部は、
前記電流センサの精度の指標である第１グレードを有し、
前記他のパワーコンディショナが備える電流センサの精度の指標である第２グレードを前記通信インタフェースを介して取得し、
前記第１グレードと前記第２グレードとを比較して、グレードが高い電流センサを基準に調整する
ことを特徴とする。
【００２１】
第７の観点に係る発明は、第５または第６の観点に係るパワーコンディショナであって、前記制御部は、当該パワーコンディショナおよび前記他のパワーコンディショナを前記系統から切り離して調整することを特徴とする。
【００２２】
第８の観点に係る発明は、第５乃至第７の観点のいずれか１つの観点に係るパワーコンディショナであって、前記制御部は、調整量が所定の閾値を超えた場合に当該電流センサを不良と判定することを特徴とする。
【００２３】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【００２４】
例えば、本発明を方法として実現させた第９の観点に係るパワーコンディショナの制御方法の発明は、
系統と並列に接続するパワーコンディショナの制御方法であって、
前記系統の電圧を測定して第１電圧測定値を得るステップと、
前記系統に接続する他のパワーコンディショナが前記系統の電圧を測定して得た第２電圧測定値を取得するステップと、
前記系統の同一の電圧に対し前記第１電圧測定値と前記第２電圧測定値が同一の値に近づくように調整するステップと
を備えることを特徴とする。
【００２５】
本発明を方法として実現させた第１０の観点に係るパワーコンディショナの制御方法の発明は、
系統と並列に接続するパワーコンディショナの制御方法であって、
当該パワーコンディショナが出力する電流を測定して第１電流測定値を得るステップと、
前記系統に接続する他のパワーコンディショナが当該他のパワーコンディショナへ流入する電流を測定して得た第２電流測定値を取得するステップと、
同一の電流に対し前記第１電流測定値と前記第２電流測定値が同一の値に近づくように調整するステップと
を備えることを特徴とする。
【００２６】
また、本発明をシステムとして実現させた第１１の観点に係るパワーコンディショナシステムの発明は、第１乃至第４のいずれか１つの観点に係るパワーコンディショナの複数個を系統と並列に接続する。
【００２７】
本発明をシステムとして実現させた第１２の観点に係るパワーコンディショナシステムの発明は、第５乃至第８のいずれか１つの観点に係るパワーコンディショナの複数個を系統と並列に接続する。
【発明の効果】
【００２８】
本発明によれば、系統と並列に接続された複数のパワーコンディショナにおいて、同一の電圧に対してはより同一の電圧測定値に近い値を得ることができるパワーコンディショナ、パワーコンディショナの制御方法およびパワーコンディショナシステムを提供することができる。
【図面の簡単な説明】
【００２９】
【図１】本発明の第１実施形態に係るパワーコンディショナシステムの概略図である。
【図２】本発明の第１実施形態に係るパワーコンディショナの概略構成を示す機能ブロック図である。
【図３Ａ】本発明の第１実施形態に係る電圧センサのグレードを算出するための表の一例である。
【図３Ｂ】本発明の第１実施形態に係る電圧センサのグレードを算出するための表の一例である。
【図３Ｃ】本発明の第１実施形態に係る電圧センサのグレードを算出するための表の一例である。
【図４】本発明の第１実施形態に係るパワーコンディショナシステムの電圧測定値の調整の一例である。
【図５】本発明の第１実施形態に係るパワーコンディショナシステムの電圧センサを調整する処理を示すシーケンス図である。
【図６】本発明の第２実施形態に係るパワーコンディショナシステムの概略図である。
【図７】本発明の第２実施形態に係るパワーコンディショナシステムの電流センサを調整する処理を示すシーケンス図である。
【発明を実施するための形態】
【００３０】
以下、本発明に係る実施形態について、図面を参照して説明する。
【００３１】
（第１実施形態）
図１は、本発明の第１実施形態に係るパワーコンディショナシステムの概略図である。パワーコンディショナシステム１は、太陽光パワーコンディショナ１０ａおよび燃料電池パワーコンディショナ１０ｂを備える。
【００３２】
太陽光パワーコンディショナ１０ａは、太陽電池２０から直流電力を受け取り交流電力に変換して出力する。燃料電池パワーコンディショナ１０ｂは、燃料電池３０から直流電力を受け取り交流電力に変換して出力する。太陽光パワーコンディショナ１０ａおよび燃料電池パワーコンディショナ１０ｂは、系統４０と並列に接続されて系統４０と連系運転をし、系統負荷５０に交流電力を供給する。系統負荷５０は、例えばテレビや冷蔵庫などの家庭用電気製品である。また、太陽光パワーコンディショナ１０ａおよび燃料電池パワーコンディショナ１０ｂは、自立負荷６０と並列に接続し自立負荷６０に交流電力を供給することもできる。自立負荷６０は、停電時などにパワーコンディショナ１０ａや燃料電池パワーコンディショナ１０ｂに接続される例えばテレビや冷蔵庫などの家庭用電気製品である。
【００３３】
太陽光パワーコンディショナ１０ａおよび燃料電池パワーコンディショナ１０ｂは、それぞれ、通信インタフェース１１４ａおよび１１４ｂを備え、通信インタフェース１１４ａおよび１１４ｂを介して相互に通信することができる。
【００３４】
なお、本実施形態においては、パワーコンディショナシステム１として、太陽光パワーコンディショナ１０ａおよび燃料電池パワーコンディショナ１０ｂが系統４０と並列に接続されている構成を示すが、これはあくまでも一例である。例えば、本発明のパワーコンディショナシステムは、蓄電池パワーコンディショナが、燃料電池パワーコンディショナ１０ｂの代わりに太陽光パワーコンディショナ１０ａとともに、系統４０と並列に接続される構成であってもよい。また、さらに、蓄電池パワーコンディショナが、太陽光パワーコンディショナ１０ａおよび燃料電池パワーコンディショナ１０ｂとともに、系統４０と並列に接続される構成であってもよい。また、さらに、これらのパワーコンディショナの何れかのパワーコンディショナ、或いは、さらに並列に接続されるパワーコンディショナが、風力発電パワーコンディショナであっても良い。
【００３５】
図２は、本発明の第１実施形態に係るパワーコンディショナの概略構成を示す機能ブロック図である。ここで、太陽光パワーコンディショナ１０ａと燃料電池パワーコンディショナ１０ｂとは同一の構成であるため、パワーコンディショナ１０と総称して説明する。
【００３６】
また機能ブロックについても同様に、太陽光パワーコンディショナ１０ａの機能ブロックと燃料電池パワーコンディショナ１０ｂの機能ブロックとを区別する必要がある場合は、それぞれ符号ａおよび符号ｂを付して説明し、区別する必要がない場合は、数字のみの符号を用いて説明する。
【００３７】
パワーコンディショナ１０は、コンバータ１０２、インバータ１０４、擬似負荷１０５、電流センサ１０６、電圧センサ１０８、スイッチ１１０、スイッチ１１２、通信インタフェース１１４、温度センサ１１６および制御部１１８を備える。
【００３８】
コンバータ１０２は、太陽電池２０や燃料電池３０から直流電圧を受け取り、昇圧または降圧してインバータ１０４に出力する。
【００３９】
インバータ１０４は、コンバータ１０２から受け取る直流電圧を交流電圧に変換し、スイッチ１１２を介して系統４０へ出力するか、または、スイッチ１１０を介して自立負荷６０へ出力する。ここで、自立負荷６０は、停電中などにおいてパワーコンディショナ１０を系統４０から切り離して自立運転させる場合に、パワーコンディショナ１０に接続している負荷であり、例えば、停電中に接続している冷蔵庫などである。
【００４０】
擬似負荷１０５は、インバータ１０４に接続され、制御部１１８により制御可能な開閉スイッチを有する。開閉スイッチが開状態の場合は、擬似負荷１０５はオープン状態になり、擬似負荷１０５には電流が流れない。開閉スイッチが閉状態の場合は、擬似負荷１０５は所定の負荷としてインバータ１０４に接続され、負荷に応じた電流が流れる。擬似負荷１０５は、電流センサ１０６を調整するときに閉状態にして用いる。擬似負荷１０５を閉状態にすることにより、他のパワーコンディショナからパワーコンディショナ１０に電流を流入させることが可能になる。その他の通常の使用状態においては、疑似負荷１０５は開状態である。
【００４１】
電流センサ１０６は、インバータ１０４に接続され、インバータ１０４が出力する交流電流を測定する。
【００４２】
電圧センサ１０８は、系統４０に接続され、系統４０の交流電圧を測定する。
【００４３】
電圧センサ１０８および電流センサ１０６は精度の指標としてグレードを有し、当該グレードによってその信頼度が判定される。なお、当該グレードは制御部１１８に含まれる記憶部１２０に記憶されている情報（グレード情報）であっても良い。また、当該グレード情報は、通信インタフェース１１４を介して他のパワーコンディショナとやり取りしても良い。以下、電圧センサ１０８を一例として説明する。
【００４４】
電圧センサ１０８のグレードは、電圧センサ１０８の精度、温度特性および累積動作時間などの組み合わせによって算出される。電圧センサ１０８のグレードは、例えば、電圧センサ１０８自体の精度を基準グレードとし、当該基準グレードに温度特性や累積動作時間などの相対グレードを足し合わせていくことにより算出される。ここで、累積動作時間とは、パワーコンディショナ１０の工場出荷時からの累積時間や前回較正時からの累積時間などである。
【００４５】
図３Ａ、図３Ｂおよび図３Ｃに、電圧センサ１０８自体の精度の基準グレード、温度特性や累積動作時間などの相対グレードの一例を示す。図３Ａは、電圧センサ１０８自体の精度と基準グレードとの対応の一例を示す表である。図３Ｂは、電圧センサ１０８の温度特性と相対グレードとの対応の一例を示す表である。図３Ｃは、電圧センサ１０８の累積動作時間と相対グレードとの対応の一例を示す表である。
【００４６】
例えば、電圧センサ１０８自体の精度が±１．０％であり、温度特性が±２．５％であり、累積動作時間が半年である場合は、電圧センサ１０８のグレードは、４−１＋３＝６と算出される。図３Ａ、図３Ｂおよび図３Ｃに示す例の場合、グレードの値が大きいほど電圧センサ１０８の信頼度が高いことを意味する。
【００４７】
ここで再び図２に戻り、他の機能ブロックの説明を続ける。
【００４８】
スイッチ１１０は、インバータ１０４と自立負荷６０との間に接続される。スイッチ１１０が開状態の場合は、パワーコンディショナ１０は自立負荷６０から切り離され、スイッチ１１０が閉状態の場合は、パワーコンディショナ１０は自立負荷６０に接続される。
【００４９】
スイッチ１１２は、インバータ１０４と系統４０との間に接続される。スイッチ１１２が開状態の場合は、パワーコンディショナ１０は系統４０から切り離され、スイッチ１１２が閉状態の場合は、パワーコンディショナ１０は系統４０に接続される。
【００５０】
本実施形態においては、スイッチ１１０が開状態かつスイッチ１１２が閉状態であり、パワーコンディショナ１０が自立負荷６０から切り離され、系統４０に接続している場合について説明する。
【００５１】
通信インタフェース１１４は、パワーコンディショナ１０が他のパワーコンディショナと通信を行う際のインタフェースである。例えば、太陽光パワーコンディショナ１０ａと燃料電池パワーコンディショナ１０ｂとは、通信インタフェース１１４ａおよび通信インタフェース１１４ｂを介して通信を行うことができる。
【００５２】
温度センサ１１６は、パワーコンディショナ１０の内部の温度を測定する。温度センサ１１６により測定される温度は、電圧センサ１０８および電流センサ１０６の温度特性の判断に用いられる。したがって、温度センサ１１６は、電圧センサ１０８および電流センサ１０６の近傍に設置されていることが好ましい。
【００５３】
制御部１１８は、パワーコンディショナ１０の各機能ブロックをはじめパワーコンディショナ１０の全体を制御および管理する。制御部１１８は、ＣＰＵ（中央処理装置）等の任意の好適なプロセッサ上で実行されるソフトウェアとして構成したり、処理ごとに特化した専用のプロセッサ（例えばＤＳＰ（デジタルシグナルプロセッサ））によって構成したりすることができる。
【００５４】
制御部１１８は、電圧センサ１０８から系統４０の電圧測定値（請求項における第１電圧測定値）を取得する。また、制御部１１８は、電流センサ１０６からインバータ１０４の出力の電流測定値（請求項における第１電流測定値）を取得する。
【００５５】
制御部１１８は、取得した系統４０の電圧測定値またはインバータ１０４の出力の電流値に応じて、コンバータ１０２およびインバータ１０４を制御する。例えば、制御部１１８は、系統４０を保護する観点から、電圧測定値が所定の閾値よりも大きい場合は、コンバータ１０２やインバータ１０４を停止して出力電力を抑制する。また、制御部１１８は、スイッチ１１２を開状態にすることにより出力電力を抑制してもよい。
【００５６】
制御部１１８は、電圧センサ１０８および電流センサ１０６のグレード（請求項における第１グレード）を算出する。また、制御部１１８は、他のパワーコンディショナの電圧センサおよび電流センサのグレード（請求項における第２グレード）を通信インタフェース１１４を介して取得する。
【００５７】
制御部１１８は、電圧センサ１０８のグレードと他のパワーコンディショナの電圧センサのグレードとを比較し、グレードが高い方の電圧センサを基準電圧センサとする。また、制御部１１８は、電流センサ１０６のグレードと他のパワーコンディショナの電流センサのグレードとを比較し、グレードが高い方の電流センサを基準電流センサとする。
【００５８】
制御部１１８は、他のパワーコンディショナの電圧センサが測定した系統４０の電圧測定値（請求項における第２電圧測定値）を通信インタフェース１１４を介して取得する。また、制御部１１８は、他のパワーコンディショナの電流センサが測定した系統４０の電流測定値（請求項における第２電流測定値）を通信インタフェース１１４を介して取得する。
【００５９】
制御部１１８は、電圧センサ１０８の電圧測定値が基準電圧センサによる電圧測定値に一致するように、電圧センサ１０８または電圧センサ１０８の電圧測定値を調整する。
【００６０】
制御部１１８は、電圧センサ１０８のグレードの方が他のパワーコンディショナの電圧センサのグレードよりも高い場合は、電圧センサ１０８が基準電圧センサとなるので電圧センサ１０８または電圧センサ１０８の電圧測定値の調整は実施しない。
【００６１】
制御部１１８は、電圧センサ１０８のグレードの方が他のパワーコンディショナの電圧センサのグレードよりも低い場合は、他のパワーコンディショナの電圧センサが基準電圧センサとなるので電圧センサ１０８または電圧センサ１０８の電圧測定値を調整する。なお、電圧センサ１０８のグレードと他のパワーコンディショナの電圧センサのグレードとが等しい場合は、両者を基準電圧センサとし、電圧センサ１０８の電圧測定値と他のパワーコンディショナの電圧センサの電圧測定値との平均値に一致するように電圧センサ１０８または電圧センサ１０８の電圧測定値を調整してもよい。
【００６２】
図４に、制御部１１８が電圧センサ１０８または電圧センサ１０８の電圧測定値を調整する一例を示す。図４のグラフにおいて、縦軸の電圧Ｖａは基準電圧センサの電圧測定値を示し、横軸の電圧Ｖｂは基準電圧センサではない電圧センサ（以後「非基準電圧センサ」と称する）の電圧測定値を示すものとする。
【００６３】
図４は、基準電圧センサが測定した電圧測定値の最大値がＶａ１、最小値がＶａ２であり、非基準電圧センサが測定した電圧測定値の最大値がＶｂ１、最小値がＶｂ２である場合を示す。図４は、Ｖｂ１＞Ｖａ１、かつ、Ｖｂ２＜Ｖａ２の場合を示す。この場合において、非基準電圧センサにおいて測定した電圧測定値Ｖｂ１をＶａ１とみなすように調整し、電圧測定値Ｖｂ２をＶａ２とみなすように調整したものが四角印である。図４に示すように、この２つの四角印を結ぶ直線の関係により非基準電圧センサまたは非基準電圧センサの電圧測定値を調整することができる。
【００６４】
上記の電圧センサ１０８または電圧センサ１０８の電圧測定値の調整方法は、あくまでも一例であり、制御部１１８は、様々な調整方法で電圧センサ１０８または電圧センサ１０８の電圧測定値を調整することができる。例えば、制御部１１８は、最大値、最小値および原点を用いて電圧センサ１０８または電圧センサ１０８の電圧測定値を調整してもよいし、さらに多くのポイントの電圧測定値を用いて電圧センサ１０８または電圧センサ１０８の電圧測定値を調整してもよい。
【００６５】
制御部１１８は、電圧センサ１０８または電圧センサ１０８の電圧測定値の調整量が所定の閾値よりも大きい場合は、電圧センサ１０８が故障している可能性が高いため、電圧センサ１０８が不良であると判定することができる。また、制御部１１８は、電流センサ１０６または電流センサ１０６の電流測定値の調整量が所定の閾値よりも大きい場合は、電流センサ１０６が故障している可能性が高いため、電流センサ１０６が不良であると判定することができる。
【００６６】
図５に、太陽光パワーコンディショナ１０ａおよび燃料電池パワーコンディショナ１０ｂが電圧センサ１０８を調整するシーケンスを示す。なお、太陽光パワーコンディショナ１０ａの機能ブロックと燃料電池パワーコンディショナ１０ｂの機能ブロックとを区別するため、太陽光パワーコンディショナ１０ａの機能ブロックには符号ａを付し（例えば、電圧センサ１０８ａ）、燃料電池パワーコンディショナ１０ｂの機能ブロックには符号ｂを付して説明する（例えば、電圧センサ１０８ｂ）。また、図５のシーケンスの説明においては、燃料電池パワーコンディショナ１０ｂの電圧センサ１０８ｂのグレードの方が太陽電池パワーコンディショナ１０ａの電圧センサ１０８ａのグレードより高い場合を例に挙げて説明する。また、制御部１１８が、電圧センサ１０８の測定値ではなく電圧センサ１０８を調整する場合を例に挙げて説明する。
【００６７】
太陽光パワーコンディショナ１０ａは、電圧センサ１０８ａおよび１０８ｂの調整開始の際に、電圧センサ１０８ｂの調整を開始する旨を燃料電池パワーコンディショナ１０ｂに通知する（図５の２０１）。続いて、太陽光パワーコンディショナ１０ａは、コンバータ１０２ａやインバータ１０４ａの動作を停止して出力を停止する（図５の２０２）。
【００６８】
燃料電池パワーコンディショナ１０ｂは、太陽光パワーコンディショナ１０ａから電圧センサ１０８ｂの調整を開始する旨の通知を受け取ると、コンバータ１０２ｂやインバータ１０４ｂの動作を停止して出力を停止する（図５の２０３）。続いて、燃料電池パワーコンディショナ１０ｂは、電圧センサ１０８ｂを調整する準備が完了した旨を太陽光パワーコンディショナ１０ａに通知する（図５の２０４）。
【００６９】
太陽光パワーコンディショナ１０ａは、燃料電池パワーコンディショナ１０ｂから電圧センサ１０８ｂを調整する準備が完了した旨の通知を受け取ると、燃料電池パワーコンディショナ１０ｂに系統４０の電圧計測を開始する旨を通知する（図５の２０５）。
【００７０】
続いて、太陽光パワーコンディショナ１０ａは、電圧センサ１０８ａが測定した系統４０の電圧測定値を取得する（図５の２０６）。また、太陽光パワーコンディショナ１０ａは、電圧センサ１０８ａのグレードを算出する（図５の２０７）。
【００７１】
燃料電池パワーコンディショナ１０ｂは、太陽光パワーコンディショナ１０ａから電圧計測を開始する旨の通知を受け取ると、電圧センサ１０８ｂが計測した系統４０の電圧測定値を取得する（図５の２０８）。また、燃料電池パワーコンディショナ１０ｂは、電圧センサ１０８ｂのグレードを算出する（図５の２０９）。
【００７２】
太陽光パワーコンディショナ１０ａおよび燃料電池パワーコンディショナ１０ｂは、系統４０の電圧計測、ならびに、電圧センサ１０８ａおよび１０８ｂのグレードの算出が終了すると、系統４０の電圧測定値および電圧センサ１０８ａおよび１０８ｂのグレードを相互に送信する（図５の２１０）。
【００７３】
太陽光パワーコンディショナ１０ａは、燃料電池パワーコンディショナ１０ｂから受け取った電圧センサ１０８ｂのグレードと電圧センサ１０８ａのグレードとを比較し、電圧センサ１０８ｂのグレードの方が電圧センサ１０８ａのグレードよりも高いため、燃料電池パワーコンディショナ１０ｂの電圧センサ１０８ｂを基準電圧センサとする（図５の２１１）。太陽光パワーコンディショナ１０ａは、基準電圧センサ（電圧センサ１０８ｂ）の電圧測定値に、電圧センサ１０８ａが測定した系統４０の電圧測定値が一致するように電圧センサ１０８ａを調整する（図５の２１２）。
【００７４】
燃料電池パワーコンディショナ１０ｂも同様に、太陽光パワーコンディショナ１０ａから受け取った電圧センサ１０８ａのグレードと電圧センサ１０８ｂのグレードとを比較し、電圧センサ１０８ｂのグレードの方が電圧センサ１０８ａのグレードよりも高いため、燃料電池パワーコンディショナ１０ｂの電圧センサ１０８ｂを基準電圧センサとする（図５の２１３）。燃料電池パワーコンディショナ１０ｂは、基準電圧センサが電圧センサ１０８ｂであるため、電圧センサ１０８ｂの電圧測定値をそのまま使用する（図５の２１４）。
【００７５】
このように、本実施形態によれば、系統と並列に接続された複数のパワーコンディショナにおいて、同一の電圧に対しては同一の電圧測定値を得ることができるパワーコンディショナを提供することができる。
【００７６】
また、制御部１１８は、電圧センサ１０８のグレードと他のパワーコンディショナの電圧センサのグレードとを比較して、グレードの高い電圧センサを基準電圧センサとして調整することにより、より精度の高い電圧測定をすることができる。
【００７７】
また、制御部１１８は、コンバータ１０２やインバータ１０４を停止した状態で調整することにより、より安定した状態で電圧センサ１０８を調整することができる。
【００７８】
また、制御部１１８は、電圧センサ１０８の調整量が所定の閾値を超えた場合に当該電圧センサ１０８を不良と判定することにより、早期に不良となった電圧センサ１０８を発見することができる。
【００７９】
なお、図５のシーケンスにおいては、太陽光パワーコンディショナ１０ａが電圧センサ１０８ａおよび１０８ｂの調整開始を指示するものとして説明したが、これは一例であり、太陽光パワーコンディショナ１０ａと燃料電池パワーコンディショナ１０ｂの役割を置き換えてもよい。
【００８０】
また、本実施形態における図１のパワーコンディショナシステムの概略図において、燃料電池３０を蓄電池とし、燃料電池パワーコンディショナ１０ｂを蓄電池パワーコンディショナとすることもできる。蓄電池パワーコンディショナの機能ブロックを図２を用いて説明すると、蓄電池パワーコンディショナとした場合は、コンバータ１０２およびインバータ１０４は双方向動作である。インバータ１０４は、系統４０から受け取った交流電圧を直流電圧に変換してコンバータ１０２に出力することができる。コンバータ１０２は、インバータ１０４から受け取った直流電圧を降圧または昇圧して燃料電池３０に出力し、蓄電池を充電することができる。
【００８１】
また、本実施形態においては、太陽電池および燃料電池を例に挙げて説明したが、本発明はこれに限るものではなく、その他の電池に置き換えても本発明は実現可能である。
【００８２】
（第２実施形態）
第１実施形態においては、パワーコンディショナの電圧センサを調整する場合について説明したが、第２実施形態においては、パワーコンディショナの電流を調整する場合について説明する。
【００８３】
図６は、本発明の第２実施形態に係るパワーコンディショナシステムの概略図である。パワーコンディショナシステム２は、太陽光パワーコンディショナ１０ａおよび燃料電池パワーコンディショナ１０ｂを備える。
【００８４】
太陽光パワーコンディショナ１０ａは、太陽電池２０から直流電力を受け取り交流電力に変換して出力する。燃料電池パワーコンディショナ１０ｂは、燃料電池３０から直流電力を受け取り交流電力に変換して出力する。太陽光パワーコンディショナ１０ａおよび燃料電池パワーコンディショナ１０ｂは、系統４０と並列に接続されて系統４０と連系運転をし、系統負荷５０に交流電力を供給する。系統負荷５０は、例えばテレビや冷蔵庫などの家庭用電気製品である。また、太陽光パワーコンディショナ１０ａおよび燃料電池パワーコンディショナ１０ｂは、自立負荷６０と並列に接続し自立負荷６０に交流電力を供給することもできる。自立負荷６０は、停電時などにパワーコンディショナ１０ａや燃料電池パワーコンディショナ１０ｂに接続されている例えばテレビや冷蔵庫などの家庭用電気製品である。
【００８５】
太陽光パワーコンディショナ１０ａおよび燃料電池パワーコンディショナ１０ｂは、それぞれ、通信インタフェース１１４ａおよび１１４ｂを備えており、通信インタフェース１１４ａおよび１１４ｂを介して通信することができる。
【００８６】
太陽光パワーコンディショナ１０ａおよび燃料電池パワーコンディショナ１０ｂは、スイッチ７０を介して系統４０に接続されている。スイッチ７０が開状態の場合は、太陽光パワーコンディショナ１０ａおよび燃料電池パワーコンディショナ１０ｂは系統４０から切り離される。また、スイッチ８０が開状態の場合は、太陽光パワーコンディショナ１０ａおよび燃料電池パワーコンディショナ１０ｂは系統負荷５０から切り離される。スイッチ７０およびスイッチ８０は、通信インタフェース１１４ａおよび１１４ｂに接続しており、通信インタフェース１１４ａまたは１１４ｂを介して、太陽光パワーコンディショナ１０ａおよび燃料電池パワーコンディショナ１０ｂにより制御される。
【００８７】
本実施形態における、太陽光パワーコンディショナ１０ａおよび燃料電池パワーコンディショナ１０ｂの機能ブロックは第１実施形態の場合と同様であるため説明を割愛する。
【００８８】
図７に、太陽光パワーコンディショナ１０ａおよび燃料電池パワーコンディショナ１０ｂが電流センサ１０６を調整するシーケンスを示す。なお、太陽光パワーコンディショナ１０ａの機能ブロックと燃料電池パワーコンディショナ１０ｂの機能ブロックとを区別するため、太陽光パワーコンディショナ１０ａの機能ブロックには符号ａを付し（例えば、電流センサ１０６ａ）、燃料電池パワーコンディショナ１０ｂの機能ブロックには符号ｂを付して説明する（例えば、電流センサ１０６ｂ）。
【００８９】
太陽光パワーコンディショナ１０ａは、電流センサ１０６ａおよび１０６ｂの調整を開始する前にスイッチ７０およびスイッチ８０を切断する（図７の３０１）。これにより、太陽光パワーコンディショナ１０ａから流れる電流は、燃料電池パワーコンディショナ１０ｂにのみ流れることになる。したがって、太陽光パワーコンディショナ１０ａの電流センサ１０６ａに流れる電流と燃料電池パワーコンディショナ１０ｂの電流センサ１０６ｂに流れる電流は等しくなる。
【００９０】
続いて、太陽光パワーコンディショナ１０ａは、電流センサ１０６ｂの調整を開始する旨を燃料電池パワーコンディショナ１０ｂに通知する（図７の３０２）。
【００９１】
燃料電池パワーコンディショナ１０ｂは、太陽光パワーコンディショナ１０ａから電流センサ１０６ｂの調整を開始する旨の通知を受け取ると、擬似負荷１０５ｂの開閉スイッチを閉状態にし、インバータ１０４ｂを所定の負荷で接続する。こうすることで、燃料電池パワーコンディショナ１０ｂは、電流を流入することが可能になる（図７の３０３）。続いて、燃料電池パワーコンディショナ１０ｂは、電流センサ１０６ｂを調整する準備が完了した旨を太陽光パワーコンディショナ１０ａに通知する（図７の３０４）。
【００９２】
以後の処理（図７の３０５〜３１４の処理）は、電圧センサ１０８が電流センサ１０６に置き換わる以外は、図５において説明した電圧センサ１０８の調整シーケンス（図５の２０５〜２１４の処理）と同様であるため、説明を割愛する。
【００９３】
このように、本実施形態によれば、系統と並列に接続された複数のパワーコンディショナにおいて、同一の電流に対しては同一の電流測定値を得ることができるパワーコンディショナを提供することができる。
【００９４】
また、制御部１１８は、電流センサ１０６のグレードと他のパワーコンディショナの電流センサのグレードとを比較して、グレードの高い電流センサを基準電流センサとして調整することにより、より精度の高い電流測定をすることができる。
【００９５】
また、制御部１１８は、太陽光パワーコンディショナ１０ａおよび燃料電池パワーコンディショナ１０ｂを系統から切り離した状態で調整することにより、より精度良く電流センサ１０６を調整することができる。
【００９６】
また、制御部１１８は、電流センサ１０６の調整量が所定の閾値を超えた場合に当該電流センサ１０６を不良と判定することにより、早期に不良となった電流センサ１０６を発見することができる。
【００９７】
なお、本実施形態における図１のパワーコンディショナシステムの概略図において、燃料電池３０を蓄電池とし、燃料電池パワーコンディショナ１０ｂを蓄電池パワーコンディショナとすることもできる。この場合、コンバータ１０２およびインバータ１０４は双方向動作であり、電流を流入することが可能である。したがって、燃料電池パワーコンディショナ１０ｂの代わりに蓄電池パワーコンディショナとする場合は、擬似負荷１０５は開状態のままにして、太陽光パワーコンディショナ１０ａから蓄電池パワーコンディショナに電流を流入させることができる。
【００９８】
また、本実施形態においては、太陽電池および燃料電池を例に挙げて説明したが、本発明はこれに限るものではなく、その他の電源に置き換えても本発明は実現可能である。
【００９９】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部材、各手段、各ステップなどに含まれる機能などは論理的に矛盾しないように再配置可能であり、複数の手段やステップなどを１つに組み合わせたり、或いは分割したりすることが可能である。
【０１００】
また、パワーコンディショナは家庭用に使われるものに限るものではなく、産業用に使われるものであっても良い。
【符号の説明】
【０１０１】
１、２  パワーコンディショナシステム
１０  パワーコンディショナ
１０ａ  太陽光パワーコンディショナ
１０ｂ  燃料電池パワーコンディショナ
２０  太陽電池
３０  燃料電池
４０  系統（商用電源系統）
５０  系統負荷
６０  自立負荷
７０、８０  スイッチ
１０２  コンバータ
１０４  インバータ
１０５  擬似負荷
１０６  電流センサ
１０８  電圧センサ
１１０、１１２  スイッチ
１１４  通信インタフェース
１１６  温度センサ
１１８  制御部
１２０  記憶部
【図１】
0005766097.tif 000002
【図２】
0005766097.tif 000003
【図３Ａ】
0005766097.tif 000004
【図３Ｂ】
0005766097.tif 000005
【図３Ｃ】
0005766097.tif 000006
【図４】
0005766097.tif 000007
【図５】
0005766097.tif 000008
【図６】
0005766097.tif 000009
【図７】
0005766097.tif 000010